(57)【要約】      （修正有）【課題】杖や松葉杖が伸縮することにより、使用者に緩衝機能を発揮するようにした石突き部材の提供。【解決手段】石突き部材２の基部に、螺旋状スプリング４を該基部２から引き抜けないように挿通して成る中心棒３を直立し、その石突き部材の基部２外周には、前記中心棒３を挿通した螺旋状スプリング４を石突き部材の基部２から所定の高さ位置まで挿通した内筒５の内周を嵌着して固定し、その内筒５には、その内筒５の基端から所定の高さ位置までその内筒の外周に接して摺動自在に昇降する内周をもち、裾部外周にリブ６を形成してなり、天井部の蓋板の中心に通孔８を穿設した有蓋外筒９を該有蓋外筒９の蓋板７に穿設した通孔８から前記中心棒３の先端頭部が蓋板７から突き出し、且つその先端頭部が前記蓋板７の通孔８から引き抜けないように加工を施して突設して被せ、前記螺旋状スプリング４の伸縮機能を昇降自在な構造とした。【選択図】図１
2007105364.tif 000002
【特許請求の範囲】
【請求項１】
石突き部材の基部に、螺旋状スプリングを該基部から引き抜けないように挿通して成る中心棒を直立し、その石突き部材の基部外周には、前記中心棒を挿通した螺旋状スプリングを石突き部材の基部から所定の高さ位置まで挿通した内筒の内周を嵌着して固定し、
その内筒には、その内筒の基端から所定の高さ位置までその内筒の外周に接して摺動自在に昇降する内周をもち、裾部外周にリブを形成してなり、天井部の蓋板の中心に通孔を穿設した有蓋外筒を該有蓋外筒の蓋板に穿設した通孔から前記中心棒の先端頭部が蓋板から突き出し、且つその先端頭部が前記蓋板の通孔から引き抜けないように加工を施して突設して被せ、前記螺旋状スプリングの伸縮機能を昇降自在な構造とした。
【発明の詳細な説明】
【技術分野】
【０００１】
本発明は、杖や松葉杖の先端のいわゆる石突きと称せられる部分に関する発明である。
【背景技術】
【０００２】
杖や松葉杖の先端に取り付ける石突き部材に関して、杖や松葉杖の先端の石突き部の接地状態に応じて石突き部の角度を変えたり、或いは杖や松葉杖の先端の石突き部にかかる体重のかかり具合に応じて石突き部を多少伸縮するように工夫された石突き部材が開発されている。
前者の一例を示すと、特開平６−３１９６０８号公報、実開昭６３−１３５６２５号公報に開示された発明であり、後者の一例を示すと、特表２００１−５１６２６５号公報に開示された発明である。
【特許文献１】特開平６−３１９６０８号公報
【特許文献２】実開昭６３−１３５６２５号公報
【特許文献３】特表２００１−５１６２６５号公報
【発明の開示】
【発明が解決しようとする課題】
【０００３】
本発明は、杖や松葉杖の石突き部について、接地状態に応じて特開平６−３１９６０８号公報、実開昭６３−１３５６２５号公報に開示されている技術のように接地角度を変えたりする構造とするか否かに関係なく、杖や松葉杖を使用して歩行する歩行者の体重のかかり具合に応じて、多少杖や松葉杖が伸縮して杖や松葉杖を使用して歩行する歩行者に緩衝機能を発揮するようにし、杖や松葉杖を使用する歩行者の歩行を楽にするよう構成した石突き部材を提供しようとするものである。
【課題を解決するための手段】
【０００４】
本発明の杖や松葉杖の先端に配する石突き部材は次の通りに構成される。即ち、石突き部材の基部に、基端を固定した中心棒を直立する。その中心棒に螺旋状スプリングを石突き部材の基部から引き抜けないように挿通する。その石突き部材の基部外周には、前記中心棒と前記中心棒を挿通した螺旋状スプリングを石突き部材の基部から所定の高さ位置まで挿通した内筒を、該内筒の基端内周を以て嵌着して固定する。
その内筒には、その内筒の基端から所定の高さ位置までその内筒の外周に接して摺動自在に昇降する内周をもち、裾部外周にリブを形成してなり、天井部の蓋板の中心に通孔を穿設した有蓋外筒を該有蓋外筒の蓋板に穿設した通孔から前記中心棒の先端頭部が蓋板から突き出し、且つその先端頭部が前記蓋板の通孔から引き抜けないように加工を施して突設して被せ、前記螺旋状スプリングの伸縮機能を以て該外筒を昇降自在な構造とした。
【発明の効果】
【０００５】
本発明に係る石突き部材は、前記の通りに構成されているので、杖や松葉杖を使用する歩行者の体重が杖や松葉杖にかかるかかり具合によって、杖や松葉杖が多少伸縮するので杖や松葉杖を使用する歩行者の身体に対する衝撃を緩和することができる。
【実施例１】
【０００６】
本発明にかかる杖や松葉杖の先端に取り付ける石突き部材は、下記の通りに構成される。
【０００７】
本発明の杖や松葉杖の先端に配する石突き部材は次の通りに構成される。即ち、図１に示すように石突き部材１の基部２に、基端を固定した中心棒３を直立する。その中心棒２に螺旋状スプリング４を石突き部材１の基部２から引き抜けないように挿通する。その石突き部材１の基部２外周には、前記中心棒３と前記中心棒３を挿通した螺旋状スプリング４を石突き部材１の基部２から所定の高さ位置まで挿通した内筒５を、該内筒５の基端内周を以て嵌着して固定する。
【０００８】
その内筒５には、その内筒５の基端から所定の高さ位置までその内筒５の外周に接して摺動自在に昇降する内周をもち、裾部外周にリブ６を形成してなり、天井部の蓋板７の中心に通孔８を穿設した有蓋外筒９を該有蓋外筒９の蓋板７に穿設した通孔８から前記中心棒３の先端頭部が蓋板７から突き出し、且つその先端頭部が前記蓋板７の通孔８から引き抜けないように加工を施して突設して被せ、前記螺旋状スプリングの伸縮機能を昇降自在な構造とした。
この構造とすることによって中心棒は外筒を内筒から引き抜けない機能を発揮することになる。
【０００９】
上記の通りに構成された石突き部材１の外筒９を、杖或いは松葉杖１０の先端部に脚棒１１に図１に示すように嵌め込んで固定する。従って、上記杖、或いは松葉杖１０の先端は上記石突き部材１の外筒９を嵌め込むことができるようにパイプ或いは、パイプ状に構成されることになる。
即ち、石突き部材１の構成材である外筒９の裾部外周に形成したリブ６が杖や松葉杖の構成材であるパイプ或いはパイプ状に構成された脚棒１１の先端にストッパーの役目を果たして嵌め込まれる。その状態を図２に示す。
【００１０】
本発明の石突き部材１は上記のように構成されて杖や松葉杖１０の先端に取り付けられるので、杖や松葉杖１を使用した歩行者の体重が杖や松葉杖１の先端にかかるかかり具合によって図３に示すように石突き部材１の外筒９は中心棒３を挿通した螺旋状スプリング４の弾性に抗して外筒９の内周が内筒５の外周に沿って降下し、多少縮むことになる。
【００１１】
即ち、杖や松葉杖１０の脚棒１１の先端に配された本発明にかかる石突き部材１は、石突き部材１の基部２の中心に基端を固定した中心棒３に螺旋状スプリング４を挿通した内筒５を直立させ、その内筒に被せた外筒９の蓋板７の通孔８の中心を突き抜けた中心棒３が、杖や松葉杖１０を使用して歩行する歩行者の体重のかかり具合によって石突き部材１の構成材である外筒９の外周が内筒５の外周を摺動して降下する。このとき中心棒３の先端が外筒９の蓋板７の通孔８から突き出し、その中心棒３を挿通したスプリング４が圧縮し、石突き部材１は圧縮される。
【００１２】
歩行者の体重が杖や松葉杖１０にかからなくなったときは前記螺旋状スプリング４の弾性によって外筒９が図１に示すように復元することになる。
【００１３】
その螺旋状スプリングは内筒並びに外筒に中心棒を挿通して収容されているから内筒、内外筒内で位置ずれを起こすことはない。
【図面の簡単な説明】
【００１４】
【図１】本発明に係る石突き部材の断面図
【図２】本発明に係る石突き部材を松葉杖に取り付けた状態を示す参考図
【図３】本発明に係る石突き部材に荷重がかかったときに断面図
【符号の説明】
【００１５】
１        石突き部材
２        基部
３        中心棒
４        螺旋状スプリング
５        内筒
６        リブ
７        蓋板
８        通孔
９        有蓋外筒
１０      松葉杖
１１      脚棒
【図１】
2007105364.tif 000003
【図２】
2007105364.tif 000004
【図３】
2007105364.tif 000005